(57)【要約】【課題】簡単な構造で確実に下衣を保持し、簡単な操作で、下衣を引き上げてその後外すことができ、使用しやすい装着補助具を提供する。【解決手段】胴回りに係止して着用する下衣３２を、ウエスト部を広げた状態で係止するループ状の下衣係止部１２と、下衣係止部１２を引き上げる引き上げ部材２２が設けられている。下衣係止部１２は、適度な柔軟性を有する中空のチューブ体あり、下衣係止部１２の長手方向の一方の端部１２ａには、適度な柔軟性を有し下衣係止部１２の内径よりも細い柱状の差込部１４が突出している。差込部１４が下衣係止部１２の他方の端部１２ｂに挿通された状態で、下衣係止部１２はループになり、差込部１４を下衣係止部１２から引き抜くと、ループが開かれる。【選択図】図１
2019030463.tif 000002
【特許請求の範囲】
【請求項１】
胴回りに係止して着用する下衣を、ウエスト部を広げた状態で係止するループ状の下衣係止部と、前記下衣係止部を引き上げる引き上げ部材が設けられ、前記下衣係止部は、適度な柔軟性を有する中空のチューブ体であり、前記下衣係止部の長手方向の一方の端部には、適度な柔軟性を有し前記下衣係止部の内径よりも細い柱状の差込部が前記端部から突出して設けられ、前記差込部が前記下衣係止部の他方の端部に挿通された状態で前記下衣係止部は前記ループになり、前記差込部を前記下衣係止部から引き抜くと前記ループが開かれることを特徴とする装着補助具。
【請求項２】
前記下衣係止部の長さは、人の胴回りよりも少し短いものであり、前記差込部の突出長さは、前記下衣係止部の長さの３分の１から４分の１である請求項１記載の装着補助具。
【請求項３】
前記下衣係止部と前記差込部は、樹脂製のチューブ体であり、前記引き上げ部材は引き紐である請求項１記載の装着補助具。
【請求項４】
前記下衣係止部には前記ループの直径方向の２か所に、連結部材を介して前記引き紐が取り付けられ、前記連結部材は、Ｌ字形であり、前記下衣係止部に取り付けられた一方の前記側面は、前記下衣係止部が前記ループとなった時に前記ループの仮想面に対して略直角に下方へ突出して位置し、前記引き紐が取り付けられた他方の側面は前記ループの仮想面に対して略平行に直径の延長方向に沿って外側へ突出して位置している請求項３記載の装着補助具。
【発明の詳細な説明】
【技術分野】
【０００１】
この発明は、胴回りに係止して着用する下衣に取り付け、下衣の着用操作を補助する装着補助具に関する。
【背景技術】
【０００２】
従来、病気やケガ、加齢等で身体の柔軟性が低下した人や、腰痛、膝痛のある人は、パンツやズボン等、胴回りに係止して着用する下衣の着用操作の際に、腰をかがめたり膝を曲げたりすることが困難であり、苦痛を伴うものである。このことから、下衣の着用操作を補助する装着補助具が考えられている。
【０００３】
例えば、特許文献１に開示されている下半身用の下着の着用補助具は、柄部の下端部に脱着可能な開口部を設けた輪状の弾性体でできた張出部を有している。柄部を鉛直姿勢にした状態で、張出部は上面視で輪状になっている。この着用補助具の使用方法は、輪状の張出部の外周面にパンツのゴム部分を係止し、ゴム紐を押し広げた状態とし、柄部を保持してパンツを足先に移動させ、足の穴に両足を入れて柄部を引き上げてパンツを着用する。
【０００４】
また、特許文献２に開示されている片手が不自由な人のための着替え用補助具は、折り曲げ可能な柔軟性のある心材をカバーで覆って設けられている。そして、芯材を胴体に巻き止めるためにそれぞれの端部に接着テープが設けられ、芯材の中心には手掛けベルトを移動可能に設けられている。この着替え用補助具の使用方法は、芯材を接着テープでリング状に形成し、このリングに衣類のウエスト部分を装着し、リングと手掛けベルトで身体の周囲に引き上げて、接着テープを外すと衣類はゴムの弾力で体に着き、衣類を着替えることができる。
【先行技術文献】
【特許文献】
【０００５】
【特許文献１】特開２００９−８２６６６号公報
【特許文献２】実用新案登録３１５２０７３号公報
【発明の概要】
【発明が解決しようとする課題】
【０００６】
上記背景技術の場合、下衣のウエスト部を取り付ける張出部やリングはループが閉じておらず、下衣の取り付け強度が弱く、着用操作の途中で下衣が落ちやすいものであり、着用操作が難しいものである。また、手で保持するための柄部や手掛けベルトが直接取リングや張出部に取り付けられているため、リングや張出部に取り付けた下衣のウエスト部がその部分からも外れやすい。
【０００７】
この発明は、上記背景技術の問題点に鑑みてなされたものであり、簡単な構造で確実に下衣を保持し、簡単な操作で、下衣を引き上げてその後外すことができ、使用しやすい装着補助具を提供することを目的とする。
【課題を解決するための手段】
【０００８】
本発明は、胴回りに係止して着用する下衣を、ウエスト部を広げた状態で係止するループ状の下衣係止部と、前記下衣係止部を引き上げる引き紐等の引き上げ部材が設けられている装着補助具である。前記下衣係止部は、適度な柔軟性を有する中空のチューブ体であり、前記下衣係止部の長手方向の一方の端部には、適度な柔軟性を有し前記下衣係止部の内径よりも細い柱状の差込部が前記端部から突出して設けられている。前記差込部が前記下衣係止部の他方の端部に挿通された状態で、前記下衣係止部は前記ループになり、前記差込部を前記下衣係止部から引き抜くと前記ループが開かれる。前記差込部も、中空のチューブ体でもよい。
【０００９】
前記下衣係止部の長さは、標準的な体形の胴回りよりも少し短いものであり、前記差込部の突出長さは、前記下衣係止部の長さの３分の１から４分の１程度である。
【００１０】
前記下衣係止部と前記差込部は樹脂製のチューブ体であり、前記引き上げ部材は引き紐である。
【００１１】
前記下衣係止部には前記ループの直径方向の２か所に、連結部材を介して前記引き紐が取り付けられ、前記連結部材はＬ字形であり、前記下衣係止部に取り付けられた一方の前記側面は、前記下衣係止部が前記ループとなった時に前記ループの仮想面に対して略直角に下方へ突出して位置し、前記引き紐が取り付けられた他方の側面は前記ループの仮想面に対して略平行に直径の延長方向に沿って外側へ突出して位置している。
【発明の効果】
【００１２】
本発明の装着補助具は、簡単な構造で確実に下衣を保持し、簡単な操作で、下衣を引き上げてその後外すことができ、使用しやすい。病気やケガ、加齢等で身体の柔軟性が低下した人や、腰痛、膝痛のある人が、腰をかがめたり膝を曲げたりすることなく、自分で簡単に下衣を着用することができる。
【図面の簡単な説明】
【００１３】
【図１】この発明の一実施形態の装着補助具の斜視図である。
【図２】この実施形態の装着補助具のループを開いた状態を示す斜視図である。
【図３】この実施形態の装着補助具の使用状態を示す斜視図である。
【図４】この実施形態の装着補助具の使用状態を示す斜視図である。
【発明を実施するための形態】
【００１４】
以下、この発明の実施形態について図面に基づいて説明する。図１〜図３はこの発明の一実施形態を示すもので、この実施形態の装着補助具１０は、着用者の胴回りを一周する長さの中空のチューブ体で作られた下衣係止部１２が設けられている。下衣係止部１２は、適度な柔軟性を有する合成樹脂製であり、気体や液体を通すためのホースを用いてもよく、太さは例えば外径１０ｍｍ、内径７ｍｍ、長さは６５０ｍｍである。下衣係止部１２の長手方向の一方の端部１２ａには、下衣係止部１２よりも径が細い弾力性のある合成樹脂製の中空のチューブ体で作られた差込部１４が設けられている。
【００１５】
差込部１４は、一方の端部１４ａが、下衣係止部１２の内側空間１３に差し込まれて取り付けられ、他方の端部１４ｂは下衣係止部１２の端部１２ａから外側に長く突出している。差込部１４の突出長さは、下衣係止部１２の長さの３分の１から４分の１程度である。差込部１４の外径は、下衣係止部１２の内径よりも細く、下衣係止部１２の他方の端部１２ｂに、摺動可能に挿通される。差込部１４が端部１２ｂに挿通されたとき、下衣係止部１２はループになり、挿通長さを変えることでループの直径を変えることができる。差込部１４の端部１４ｂを端部１２ｂから引き抜くとループが開かれ、下衣係止部１２と差込部１４が直列に連結された長尺部材となる。差込部１４は、ホースを用いてもよく、フレキシブルな細長い柱状の材料でもよく、太さは例えば外径４ｍｍ、長さは２００ｍｍである。
【００１６】
下衣係止部１２の長手方向の２か所で、ループとなった時の直径方向の２か所には、Ｌ字形の金属製の連結部材１６を介して引き紐係止部１８が取り付けられている。引き紐係止部１８は短い弾力性のあるチューブ体であり、下衣係止部１２と同じ直径のチューブ体でもよく、ホースを用いてもよい。引き紐係止部１８には、紐体である引き上げ部材の引き紐２０が内側空間１３に挿通されて設けられている。
【００１７】
引き紐２０は、引き紐係止部１８の外側に引き出された端部同士を連結して環状にされている。引き紐２０の長さは、引き紐係止部１８の長さの２倍よりも僅かに長いものであり、長すぎない方がよく、例えば３２０ｍｍである。引き紐２０は、引き紐係止部１８の両端部付近で結び目等が形成されて摺動しないように止められている。引き紐２０の、引き紐係止部１８の外側に位置する部分には、別体の引き上げ部材である引き紐２２が取り付けられている。引き紐２２は、平らな帯体であり、幅方向は引き紐２０より太い。１本の引き紐２２の両端部が２個の引き紐２０に連結されて設けられ、引き紐２０の、引き紐係止部１８から露出している部分の中間付近に縫い付けられて固定されている。引き紐２２の長さは、下衣係止部１２よりも少し長いものであり、長すぎない方がよい。なお、引き紐２２は、引き紐２０に対して取り外し可能にしても良く、引き紐２０を引き紐係止部１８に対して取り外し可能に形成しても良い。
【００１８】
下衣係止部１２と引き紐係止部１８を連結する連結部材１６は、一対の矩形の側面１６ａ，１６ｂが直角に連続するＬ字形であり、側面１６ａ，１６ｂには、ボルト用の透孔が各１個設けられている。一方の側面１６ａには樹脂バンド２４が取り付けられ、樹脂バンド２４は、下衣係止部１２を巻き回して両端部が側面１６ａに重ねられ、ボルト２６で固定されている。樹脂バンド２４は、下衣係止部１２にはネジ２８で固定され、下衣係止部１２の側周面に沿う回転や長手方向の位置ずれを防ぐ。他方の側面１６ｂには樹脂バンド３０が取り付けられ、樹脂バンド３０は、引き紐係止部１８を巻き回して両端部が側面１６ｂに重ねられ、ボルト２６で固定されている。樹脂バンド３０は、下衣係止部１２にネジ２８で固定され、回転や位置ずれを防ぐ。側面１６ａは、下衣係止部１２が差込部１４によりループとなった時にループの仮想面に対して略直角に下方へ突出して位置し、側面１６ｂはループの仮想面に対して略平行に接線方向に直径の延長方向に沿って外側へ突出して位置している。
【００１９】
このように、一対の引き紐係止部１８は、下衣係止部１２の仮想面の下方で仮想面の外側に固定され、下衣係止部１２の仮想面の直径方向の２か所に位置している。下衣係止部１２と引き紐係止部１８は、連結部材１６との間が樹脂バンド２４，３０で固定され、樹脂バンド２４，３０の柔軟性による僅かな変形はあるが、位置や向きが大きく変わることがない。互いに連結された樹脂バンド２４，３０と連結部材１６の幅はともに１５ｍｍ程度であり、連結部材１６の側面１６ａと樹脂バンド２４を足した長さは３５ｍｍ程度であり、側面１６ｂと樹脂バンド３０を足した長さも、それとほぼ等しい。
【００２０】
次に、装着補助具１０の使用方法について説明する。差込部１４を下衣係止部１２の端部１２ｂに差し込んで下衣係止部１２をループにし、図３に示すように、下衣係止部１２に、下衣であるパンツ３２を取り付ける。なお、パンツ３２は、上方に開口するウエスト部３４と、下方に開口する２個の足用孔部３６が設けられている。ウエスト部３４の内周面３４ａには、ゴムテープ３８が一周して取り付けられている。
【００２１】
装着補助具１０の下衣係止部１２の内側にパンツ３２を入れ、ウエスト部３４を下衣係止部１２にかけてウエスト部３４の内周面３４ａを外側へ折り返す。この時、ウエスト部３４に取り付けられたゴムテープ３８を伸ばしながら下衣係止部１２にかけた後、手を離すとゴムテープ３８が縮み、下衣係止部１２を乗り越える方向に戻ることがない。そして、下衣係止部１２に取り付けられている一対の連結部材１６の側面１６ａにゴムテープ３８の弾性力で押し付けられ、ゴムテープ３８が元の長さに戻ることがなく、ゴムテープ３８が適度な張力で伸ばされ、パンツ３２は穿きやすい状態に広げられる。連結部材１６の側面１６ａの下端部には側面１６ｂが直角に側方へ突出して連続するため、ゴムテープ３８が下方にずれても側面１６ｂに当接し、下方に落ちることがない。
【００２２】
次に、パンツ３２を穿く使用者４０は、図４に示すように椅子４２に腰掛け、パンツ３２を取り付けた装着補助具１０の引き紐２２を手で保持し、下衣係止部１２を足元に降ろす。この時、引き紐２２が十分長さを有するため、使用者４０が腰をかがめたり膝を曲げたりする必要がない。なお、装着補助具１０の差込部１４が、使用者４０の後側、つまり膝の裏側にすると、後の工程で装着補助具１０を外しやすい。そして下衣係止部１２の内側に広げてセットされたパンツ３２の、一対の足用孔部３６に足を入れ、引き紐２０，２２を引き、パンツ３２を膝上に引き上げる。そして、パンツ３２のウエスト部３４を、ゴムテープ３８を伸ばして下衣係止部１２を乗り越えて内側にもどし、ウエスト部３４の内周面３４ａが身体側となるようにする。この後、装着補助具１０の差込部１４を下衣係止部１２の端部１２ｂから引き抜き、ループを開き、下衣係止部１２を胴回りから外す。使用者４０は、腰を椅子４２から浮かせて、手でパンツ３２の装着を完了させる。
【００２３】
装着補助具１０は、使用しない時は下衣係止部１２と差込部１４を２〜３回ループ状に巻いてコンパクトにし、収容袋等に入れて保管する。
【００２４】
この実施形態の装着補助具１０によれば、簡単な構造で確実にパンツ３２を保持し、簡単な操作で、パンツ３２を膝上に腰に引き上げてその後外すことができ、使用しやすい。病気やケガ、加齢等で身体の柔軟性が低下した人や、腰痛、膝痛のある人が、腰をかがめたり膝を曲げたりすることなく、自分で簡単にパンツ３２を着用することができる。介助者の負担を軽減するとともに、使用者４０の自立を助けることができる。使用者４０の身体に負担をかけず、苦痛もない。身をかがめたり片足に重心をかけたりすることがなく、転倒も防止することができる。
【００２５】
下衣係止部１２、差込部１４、引き紐係止部１８は市販の材料であるホース等で作ることができ、簡単に入手することができ、加工及び組立が簡単で製造が容易である。適度な柔軟性と弾力性を有し、身体に当たっても安全であり、無理な力がかかって曲げられても、元の形状に復元することができる。
【００２６】
パンツ３２を取り付けるときは、下衣係止部１２に沿ってウエスト部３４を折り曲げるだけの簡単な操作で行うことができ、ウエスト部３４のゴムテープ３８が下衣係止部１２の下方を一周して確実に取り付けることができ、不用意に外れることがない。ゴムテープ３８はＬ字形の連結部材１６に当接し、ずれることがなく操作しやすい。さらに、操作中にパンツ３２が落ちることがなく、パンツ３２を再度取り付ける手間がかからない。引き紐２０，２２は連結部材１６により下衣係止部１２の下方の外側に付いているため、パンツ３２のウエスト部３４をかける時に支障とならず、そこからウエスト部３４が外れることがない。
【００２７】
下衣係止部１２は、差込部１４を端部１２ｂから挿入して確実にループを形成してパンツ３２を保持し、差込部１４を引き抜くことで簡単にループを開いてパンツ３２の着用後に身体から外すことができる。さらに、差込部１４の差し込み量を調節することにより、ループの大きさを適宜変更することができ、いろいろな体形に合わせることができる。
【００２８】
引き紐２２は引き紐２０の長手方向の中心に固定され、引き紐２０は引き紐係止部１８に摺動しないように止められ、さらに引き紐係止部１８は連結部材１６により下衣係止部１２の所定位置に固定されているため、パンツ３２を引き上げる際に引き紐２０，２２に力が不均一に加えられても位置がずれたり変形したりすることがなく、操作しやすい。引き上げる力が均等に下衣係止部１２のループの直径方向の２か所にかかり、楽に下衣係止部１２を引き上げることができる。連結部材１６が下方の外側に向かって延出しているため、引き紐２２を引き上げる力がかかっても、ウエスト部３４に接触することがなく、ウエスト部３４が下衣係止部１２から外れることがない。
【００２９】
その他、軽量であり、柔軟性があることから、使用しない時は、コンパクトに収容することができ、携帯することもできる。携帯して外出先で使用することができ、安心して外出や外泊をすることができる。
【００３０】
なお、この発明の装着補助具は、上記実施の形態に限定されるものではなく、材料や直径、長さ等、適宜変更可能である。引き紐２０を設けずに、引き紐２２を直接紐係止部１８に取り付けても良く、ホックや面ファスナ、その他係止部材により着脱自在に設けても良い。下衣は、パンツ以外にズボンやスカート、紙おむつ等、何でもよく、ウエスト部に弾性体が設けられているものであれば使用することができる。差込部は、中空のチューブ体でなくてもよく、下衣係止部に摺動可能に差し込まれ係止されるものであればよい。
【符号の説明】
【００３１】
１０  装着補助具
１２  下衣係止部
１２ａ，１２ｂ  端部
１４  差込部
１６  連結部材
１６ａ，１６ｂ  側面
２０，２２  引き紐
３２  パンツ
３４  ウエスト部
【図１】
2019030463.tif 000003
【図２】
2019030463.tif 000004
【図３】
2019030463.tif 000005
【図４】
2019030463.tif 000006
【手続補正書】
【提出日】平成29年9月27日(2017.9.27)
【手続補正１】
【補正対象書類名】明細書
【補正対象項目名】０００８
【補正方法】変更
【補正の内容】
【０００８】
本発明は、胴回りに係止して着用する下衣を、ウエスト部を広げた状態で係止するループ状の下衣係止部と、前記下衣係止部を引き上げる引き紐等の引き上げ部材が設けられている装着補助具である。前記下衣係止部は、柔軟性を有する中空のチューブ体であり、前記下衣係止部の長手方向の一方の端部には、柔軟性を有し前記下衣係止部の内径よりも細い柱状の差込部が前記端部から突出して設けられている。前記差込部が前記下衣係止部の他方の端部に挿通された状態で、前記下衣係止部はループになり、前記差込部を前記下衣係止部から引き抜くと前記ループが開かれる。前記差込部も、中空のチューブ体でもよい。
【手続補正２】
【補正対象書類名】明細書
【補正対象項目名】００１１
【補正方法】変更
【補正の内容】
【００１１】
前記下衣係止部には前記ループの直径方向の２か所に、連結部材を介して前記引き紐が取り付けられ、前記連結部材はＬ字形であり、前記下衣係止部に取り付けられた一方の側面は、前記下衣係止部が前記ループとなった時に前記ループの仮想面に対して略直角に下方へ突出して位置し、前記引き紐が取り付けられた他方の側面は前記ループの仮想面に対して略平行に直径の延長方向に沿って外側へ突出して位置している。
【手続補正３】
【補正対象書類名】特許請求の範囲
【補正対象項目名】全文
【補正方法】変更
【補正の内容】
【特許請求の範囲】
【請求項１】
胴回りに係止して着用する下衣を、ウエスト部を広げた状態で係止するループ状の下衣係止部と、前記下衣係止部を引き上げる引き上げ部材が設けられ、前記下衣係止部は、ループ状の直径を変更可能な柔軟性を有する中空のチューブ体であり、前記下衣係止部の長手方向の一方の端部には、柔軟性を有し前記下衣係止部の内径よりも細い柱状の差込部が前記端部から突出して設けられ、前記下衣係止部の長さは、人の胴回りよりも少し短いものであり、前記差込部は、前記下衣係止部の長手方向の他方の端部の中空の内側空間に差し込み可能に形成され、前記差込部の突出長さは、前記下衣係止部の長さよりも短く、前記差込部の突出端部が前記下衣係止部の他方の端部に挿通された状態で前記下衣係止部はループになり、前記差込部を前記下衣係止部から引き抜くと前記ループが開かれることを特徴とする装着補助具。
【請求項２】
前記差込部の突出長さは、前記下衣係止部の長さの３分の１から４分の１である請求項１記載の装着補助具。
【請求項３】
前記下衣係止部と前記差込部は、樹脂製のチューブ体であり、前記引き上げ部材は引き紐である請求項１記載の装着補助具。
【請求項４】
前記下衣係止部には前記ループの直径方向の２か所に、連結部材を介して前記引き上げ部材である引き紐が取り付けられ、前記連結部材はＬ字形であり、前記下衣係止部に取り付けられたＬ字形の前記連結部材の一方の側面は、前記下衣係止部が前記ループとなった時に前記ループの仮想面に対して略直角に下方へ突出して位置し、前記連結部材の前記引き紐が取り付けられた部分である他方の側面は、前記ループの仮想面に対して略平行に、前記下衣係止部の前記ループの直径の延長方向に沿って外側へ突出して位置している請求項１記載の装着補助具。